【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
楽曲に関する情報と対応づけて記憶手段に記憶された、複数の楽曲の中からユーザーの
所望する楽曲を選択し、再生するための音楽再生装置において、
入力手段を介して入力されたユーザーの意思情報に基づいて、楽曲を選択するための第
１の選択条件を設定する第１の選択条件設定手段と、
該第１の選択条件設定手段により設定された前記第１の選択条件、及び楽曲に関する情
報に基づいて、前記記憶手段に記憶された楽曲の中から前記第１の選択条件を満たす楽曲
を選択する第１の楽曲選択手段と、
該第１の楽曲選択手段により選択された楽曲の量が第１の所定範囲内であるか否かを判
断する第１の楽曲量判断手段と、
選択された楽曲の量が前記第１の所定範囲内であると前記第１の楽曲量判断手段により
判断された場合、前記第１の楽曲選択手段により選択された楽曲を第１の所定再生条件に
基づいて再生する第１の楽曲再生手段とを備えていることを特徴とする音楽再生装置。
【請求項２】
前記第１の所定再生条件に、ユーザーの嗜好度、楽曲の新しさ、及び楽曲の人気度のい
ずれかが含まれていることを特徴とする請求項１記載の音楽再生装置。
【請求項３】
選択された楽曲の量が前記第１の所定範囲内でないと前記第１の楽曲量判断手段により
判断された場合、前記意思情報とは別の意思情報の入力をユーザーへ要求する第１の要求
手段と、
該第１の要求手段による要求に応じて、前記入力手段を介して入力されたユーザーの意
思情報に基づいて、楽曲を選択するための新たな別の選択条件を設定する第２の選択条件
設定手段と、
該第２の選択条件設定手段により設定された前記別の選択条件、前記第１の選択条件、
及び楽曲に関する情報に基づいて、前記記憶手段に記憶された楽曲の中から楽曲を選択す
る第２の楽曲選択手段と、
該第２の楽曲選択手段により選択された楽曲の量が第２の所定範囲内であるか否かを判
断する第２の楽曲量判断手段と、
選択された楽曲の量が前記第２の所定範囲内であると前記第２の楽曲量判断手段により
判断された場合、前記第２の楽曲選択手段により選択された楽曲を第２の所定再生条件に
基づいて再生する第２の楽曲再生手段とを備えていることを特徴とする請求項１又は請求
項２記載の音楽再生装置。
【請求項４】
前記第２の楽曲量判断手段により前記楽曲の量が前記第２の所定範囲内でないと判断さ
れた場合、前記第１の要求手段が、前記意思情報とは別の意思情報の入力を要求する機能
を有していることを特徴とする請求項３記載の音楽再生装置。
【請求項５】
選択された楽曲の量が前記第１又は前記第２の楽曲量判断手段により、前記第１又は前
記第２の所定範囲内でないと判断された場合、
前記第１の要求手段が、その旨をユーザーへ知らせる告知機能を有していることを特徴
とする請求項３又は請求項４記載の音楽再生装置。
【請求項６】
選択された楽曲の量が前記第１又は前記第２の楽曲量判断手段により、前記第１又は前
記第２の所定範囲内でないと判断された場合、
前記第１の要求手段が、前記第１の選択条件設定手段により設定された前記第１の選択
条件、及び前記第２の選択条件設定手段により設定された前記別の選択条件以外のさらに
別の選択条件をユーザーへ提示する機能を有していることを特徴とする請求項３〜５のい
ずれかの項に記載の音楽再生装置。
【請求項７】
前記第１の要求手段の要求に対する応答の有無を判断する応答有無判断手段と、
該応答有無判断手段により、前記要求に対する応答が無いと判断された場合、前記第１
又は前記第２の楽曲選択手段により選択された楽曲を、第３の所定再生条件に基づいて再
生する第３の楽曲再生手段とを備えていることを特徴とする請求項３〜６のいずれかの項
に記載の音楽再生装置。
【請求項８】
前記第１の要求手段が、所定の環境条件に応じた形態で、ユーザーへの要求を行うもの
であることを特徴とする請求項３〜７のいずれかの項に記載の音楽再生装置。
【請求項９】
選択された楽曲の量が前記第１又は前記第２の楽曲量判断手段により、前記第１又は前
記第２の所定範囲内を超えていると判断され、前記第２の選択条件設定手段により新たな
別の選択条件が設定された場合、
前記第２の楽曲選択手段は、前記記憶手段に記憶された楽曲の中から、前記第１の選択
条件、及び前記第２の選択条件設定手段により設定された選択条件の全ての条件を満たす
楽曲を選択するものであることを特徴とする請求項３〜８のいずれかの項に記載の音楽再
生装置。
【請求項１０】
選択された楽曲の量が前記第１又は前記第２の楽曲量判断手段により、前記第１又は前
記第２の所定範囲内に達していないと判断され、前記第２の選択条件設定手段により新た
な別の選択条件が設定された場合、
前記第２の楽曲選択手段は、前記記憶手段に記憶された楽曲の中から、前記第１の選択
条件、及び前記第２の選択条件設定手段により設定された選択条件のうちの１つ又は２つ
以上の条件を満たす楽曲を選択するものであることを特徴とする請求項３〜９のいずれか
の項に記載の音楽再生装置。
【請求項１１】
前記第１の所定範囲内、及び／又は前記第２の所定範囲内が、所定の曲数の範囲内、又
は所定の総演奏時間の範囲内であることを特徴とする請求項１〜１０のいずれかの項に記
載の音楽再生装置。
【請求項１２】
前記第１の所定範囲内、及び／又は前記第２の所定範囲内を、所定の範囲内設定条件に
基づいて設定する所定範囲内設定手段を備え、
前記所定の範囲内設定条件に、日付、曜日、時刻、時間帯、気象、及び目的地のいずれ
かが含まれていることを特徴とする請求項１〜１１のいずれかの項に記載の音楽再生装置
。
【請求項１３】
楽曲に関する情報と対応づけて記憶手段に記憶された、複数の楽曲の中からユーザーの
所望する楽曲を選択し、再生するための音楽再生装置において、
楽曲を選択するための選択条件をユーザーへ提示する選択条件提示手段と、
該選択条件提示手段による提示に対し、入力手段を介して入力されたユーザーの意思情
報に基づいて、前記選択条件提示手段により提示された選択条件がユーザーによって支持
されたか否かを判断する支持有無判断手段と、
前記選択条件がユーザーによって支持されたと前記支持有無判断手段が判断すれば、前
記記憶手段に記憶された楽曲の中からユーザーによって支持された選択条件を満たす楽曲
を選択する第３の楽曲選択手段と、
該第３の楽曲選択手段により選択された楽曲を第４の所定再生条件に基づいて再生する
第４の楽曲再生手段とを備えていることを特徴とする音楽再生装置。
【請求項１４】
音楽再生開始条件が成立しているか否かを判断する開始条件成立判断手段を備え、
該開始条件成立判断手段により、前記音楽再生開始条件が成立していると判断された場
合、
前記選択条件提示手段が、楽曲を選択するための選択条件をユーザーへ提示するもので
あることを特徴とする請求項１３記載の音楽再生装置。
【請求項１５】
前記音楽再生開始条件が、目的地が設定されることであり、
前記選択条件提示条件が、前記選択条件をユーザーへ提示する前に、設定された目的地
到着に要する時間を示した情報をユーザーへ提供する機能を含んでいることを特徴とする
請求項１４記載の音楽再生装置。
【請求項１６】
前記支持正否判断手段により、前記選択条件がユーザーによって支持されなかったと判
断すれば、ユーザーの意思情報の入力をユーザーへ要求する第２の要求手段と、
該第２の要求手段による要求に応じて、入力手段を介して入力されたユーザーの意思情
報に基づいて、第２の選択条件を設定する第３の選択条件設定手段と、
前記第２の選択条件、及び楽曲に関する情報に基づいて、前記記憶手段に記憶された楽
曲の中から楽曲を選択する第４の楽曲選択手段と、
該第４の楽曲選択手段により選択された楽曲を第５の所定再生条件に基づいて再生する
第５の楽曲再生手段とを備えていることを特徴とする請求項１３〜１５のいずれかの項に
記載の音楽再生装置。
【請求項１７】
前記選択条件提示手段が、所定の環境条件に応じた形態で、ユーザーへの選択条件の提
示を行うものであることを特徴とする請求項１３〜１６のいずれかの項に記載の音楽再生
装置。
【請求項１８】
記憶手段に記憶された複数の楽曲の中からユーザーの所望する楽曲を選択し、再生する
ための音楽再生装置において、
楽曲を選択するための選択条件を設定する選択条件設定手段と、
設定された前記選択条件に基づいて、前記記憶手段に記憶された楽曲の中から前記選択
条件を満たす楽曲を選択する楽曲選択手段と、
該楽曲選択手段により選択された楽曲の量が所定範囲内であるか否かを判断する楽曲量
判断手段と、
選択された楽曲の量が前記所定範囲内であると判断された場合、前記楽曲選択手段によ
り選択された楽曲を順次再生していく楽曲再生手段とを備えていることを特徴とする音楽
再生装置。
【請求項１９】
選択された楽曲の量が前記所定範囲内であると前記楽曲量判断手段により判断された場
合、前記楽曲再生手段が前記選択された楽曲を所定の再生条件に基づいて順次再生してい
くことを特徴とする請求項１８記載の音楽再生装置。
【請求項２０】
前記所定の再生条件に、ユーザーの嗜好度、楽曲の新しさ、及び楽曲の人気度のいずれ
かが含まれていることを特徴とする請求項１９記載の音楽再生装置。
【請求項２１】
前記選択条件設定手段が、入力手段を介して入力されたユーザーの意思情報に基づいて
前記選択条件を設定するものであり、
前記入力手段を介してユーザーの意思情報が所定期間入力されない場合、前記所定の再
生条件が最近よく聴かれた曲の順であるとみなして前記楽曲再生手段が楽曲を再生してい
くことを特徴とする請求項１９記載の音楽再生装置。
【請求項２２】
前記所定範囲は所定の演奏時間であり、
選択された楽曲の総演奏時間が前記所定の演奏時間内である場合、選択された楽曲の量
が前記所定範囲内であると前記楽曲量判断手段が判断することを特徴とする請求項１８〜
２１のいずれかの項に記載の音楽再生装置。
【手続補正２】
【補正対象書類名】明細書
【補正対象項目名】０００９
【補正方法】変更
【補正の内容】
【０００９】
上記目的を達成するために本発明に係る音楽再生装置（１）は、楽曲に関する情報と対
応づけて記憶手段に記憶された、複数の楽曲の中からユーザーの所望する楽曲を選択し、
再生するための音楽再生装置において、入力手段を介して入力されたユーザーの意思情報
に基づいて、楽曲を選択するための第１の選択条件を設定する第１の選択条件設定手段と
、該第１の選択条件設定手段により設定された前記第１の選択条件、及び楽曲に関する情
報に基づいて、前記記憶手段に記憶された楽曲の中から前記第１の選択条件を満たす楽曲
を選択する第１の楽曲選択手段と、該第１の楽曲選択手段により選択された楽曲の量が第
１の所定範囲内であるか否かを判断する第１の楽曲量判断手段と、選択された楽曲の量が
前記第１の所定範囲内であると前記第１の楽曲量判断手段により判断された場合、前記第
１の楽曲選択手段により選択された楽曲を第１の所定再生条件に基づいて再生する第１の
楽曲再生手段とを備えていることを特徴としている。
【手続補正３】
【補正対象書類名】明細書
【補正対象項目名】００１４
【補正方法】変更
【補正の内容】
【００１４】
また、本発明に係る音楽再生装置（３）は、上記音楽再生装置（１）又は（２）におい
て、選択された楽曲の量が前記第１の所定範囲内でないと前記第１の楽曲量判断手段によ
り判断された場合、前記意思情報とは別の意思情報の入力をユーザーへ要求する第１の要
求手段と、該第１の要求手段による要求に応じて、前記入力手段を介して入力されたユー
ザーの意思情報に基づいて、楽曲を選択するための新たな別の選択条件を設定する第２の
選択条件設定手段と、該第２の選択条件設定手段により設定された前記別の選択条件、前
記第１の選択条件、及び楽曲に関する情報に基づいて、前記記憶手段に記憶された楽曲の
中から楽曲を選択する第２の楽曲選択手段と、該第２の楽曲選択手段により選択された楽
曲の量が第２の所定範囲内であるか否かを判断する第２の楽曲量判断手段と、選択された
楽曲の量が前記第２の所定範囲内であると前記第２の楽曲量判断手段により判断された場
合、前記第２の楽曲選択手段により選択された楽曲を第２の所定再生条件に基づいて再生
する第２の楽曲再生手段とを備えていることを特徴としている。
【手続補正４】
【補正対象書類名】明細書
【補正対象項目名】００１７
【補正方法】変更
【補正の内容】
【００１７】
また、本発明に係る音楽再生装置（４）は、上記音楽再生装置（３）において、前記第
２の楽曲量判断手段により前記楽曲の量が前記第２の所定範囲内でないと判断された場合
、前記第１の要求手段が、前記意思情報とは別の意思情報の入力を要求する機能を有して
いることを特徴としている。
【手続補正５】
【補正対象書類名】明細書
【補正対象項目名】００２０
【補正方法】変更
【補正の内容】
【００２０】
また、本発明に係る音楽再生装置（５）は、上記音楽再生装置（３）又は（４）におい
て、選択された楽曲の量が前記第１又は前記第２の楽曲量判断手段により、前記第１又は
前記第２の所定範囲内でないと判断された場合、前記第１の要求手段が、その旨をユーザ
ーへ知らせる告知機能を有していることを特徴としている。
【手続補正６】
【補正対象書類名】明細書
【補正対象項目名】００２２
【補正方法】変更
【補正の内容】
【００２２】
また、本発明に係る音楽再生装置（６）は、上記音楽再生装置（３）〜（５）のいずれ
かにおいて、選択された楽曲の量が前記第１又は前記第２の楽曲量判断手段により、前記
第１又は前記第２の所定範囲内でないと判断された場合、前記第１の要求手段が、前記第
１の選択条件設定手段により設定された前記第１の選択条件、及び前記第２の選択条件設
定手段により設定された前記別の選択条件以外のさらに別の選択条件をユーザーへ提示す
る機能を有していることを特徴としている。
【手続補正７】
【補正対象書類名】明細書
【補正対象項目名】００２３
【補正方法】変更
【補正の内容】
【００２３】
上記音楽再生装置（６）によれば、楽曲の絞り込みが十分でない場合、前記第１の選択
条件設定手段により設定された前記第１の選択条件、及び前記第２の選択条件設定手段に
より設定された前記別の選択条件（すなわち、既に設定済の選択条件）以外のさらに別の
選択条件がユーザーへ提示される。例えば、ユーザーにより「浜崎あゆみの曲が聴きたい
」と意思表示されても、楽曲が十分に絞り込まれなかった場合には、「静かなバラードを
お聴きになりますか？それとも、乗りの良い曲をお聴きになりますか？」と別の選択条件
がユーザーへ提示される。これにより、ユーザーは次の意思表示がし易くなる。
【手続補正８】
【補正対象書類名】明細書
【補正対象項目名】００２８
【補正方法】変更
【補正の内容】
【００２８】
また、本発明に係る音楽再生装置（９）は、上記音楽再生装置（３）〜（８）のいずれ
かにおいて、選択された楽曲の量が前記第１又は前記第２の楽曲量判断手段により、前記
第１又は前記第２の所定範囲内を超えていると判断され、前記第２の選択条件設定手段に
より新たな別の選択条件が設定された場合、前記第２の楽曲選択手段は、前記記憶手段に
記憶された楽曲の中から、前記第１の選択条件、及び前記第２の選択条件設定手段により
設定された選択条件の全ての条件を満たす楽曲を選択するものであることを特徴としてい
る。
【手続補正９】
【補正対象書類名】明細書
【補正対象項目名】００３１
【補正方法】変更
【補正の内容】
【００３１】
また、本発明に係る音楽再生装置（１０）は、上記音楽再生装置（３）〜（９）のいず
れかにおいて、選択された楽曲の量が前記第１又は前記第２の楽曲量判断手段により、前
記第１又は前記第２の所定範囲内に達していないと判断され、前記第２の選択条件設定手
段により新たな別の選択条件が設定された場合、前記第２の楽曲選択手段は、前記記憶手
段に記憶された楽曲の中から、前記第１の選択条件、及び前記第２の選択条件設定手段に
より設定された選択条件のうちの１つ又は２つ以上の条件を満たす楽曲を選択するもので
あることを特徴としている。
【手続補正１０】
【補正対象書類名】明細書
【補正対象項目名】００３９
【補正方法】変更
【補正の内容】
【００３９】
また、本発明に係る音楽再生装置（１３）は、楽曲に関する情報と対応づけて記憶手段
に記憶された、複数の楽曲の中からユーザーの所望する楽曲を選択し、再生するための音
楽再生装置において、楽曲を選択するための選択条件をユーザーへ提示する選択条件提示
手段と、該選択条件提示手段による提示に対し、入力手段を介して入力されたユーザーの
意思情報に基づいて、前記選択条件提示手段により提示された選択条件がユーザーによっ
て支持されたか否かを判断する支持有無判断手段と、前記選択条件がユーザーによって支
持されたと前記支持有無判断手段が判断すれば、前記記憶手段に記憶された楽曲の中から
ユーザーによって支持された選択条件を満たす楽曲を選択する第３の楽曲選択手段と、該
第３の楽曲選択手段により選択された楽曲を第４の所定再生条件に基づいて再生する第４
の楽曲再生手段とを備えていることを特徴としている。
【手続補正１１】
【補正対象書類名】明細書
【補正対象項目名】００４５
【補正方法】変更
【補正の内容】
【００４５】
また、本発明に係る音楽再生装置（１６）は、上記音楽再生装置（１３）〜（１５）の
いずれかにおいて、前記支持正否判断手段により、前記選択条件がユーザーによって支持
されなかったと判断すれば、ユーザーの意思情報の入力をユーザーへ要求する第２の要求
手段と、該第２の要求手段による要求に応じて、入力手段を介して入力されたユーザーの
意思情報に基づいて、第２の選択条件を設定する第３の選択条件設定手段と、前記第２の
選択条件、及び楽曲に関する情報に基づいて、前記記憶手段に記憶された楽曲の中から楽
曲を選択する第４の楽曲選択手段と、該第４の楽曲選択手段により選択された楽曲を第５
の所定再生条件に基づいて再生する第５の楽曲再生手段とを備えていることを特徴として
いる。
【手続補正１２】
【補正対象書類名】明細書
【補正対象項目名】００４８
【補正方法】変更
【補正の内容】
【００４８】
上記音楽再生装置（１７）によれば、前記所定の環境条件（例えば、ユーザーの性別や
、時間帯）に応じた形態で、ユーザーへの選択条件の提示が行われる。例えば、ユーザー
が男性である場合には、女性の声で前記提示が行われ、ユーザーが女性である場合には、
男性の声で前記提示が行われ、また、午前は男性の声で前記提示が行われ、午後は女性の
声で前記提示が行われるようにすることによって、飽きのこないものとすることができる
。
また、本発明に係る音楽再生装置（１８）は、記憶手段に記憶された複数の楽曲の中か
らユーザーの所望する楽曲を選択し、再生するための音楽再生装置において、楽曲を選択
するための選択条件を設定する選択条件設定手段と、設定された前記選択条件に基づいて
、前記記憶手段に記憶された楽曲の中から前記選択条件を満たす楽曲を選択する楽曲選択
手段と、該楽曲選択手段により選択された楽曲の量が所定範囲内であるか否かを判断する
楽曲量判断手段と、選択された楽曲の量が前記所定範囲内であると判断された場合、前記
楽曲選択手段により選択された楽曲を順次再生していく楽曲再生手段とを備えていること
を特徴としている。
上記音楽再生装置（１８）によれば、前記選択条件（例えば、浜崎あゆみが歌っている
楽曲）に基づいて、前記記憶手段に記憶された楽曲の中から前記選択条件を満たす楽曲が
選択される。また、選択された楽曲の量（例えば、曲数）が前記所定範囲内（例えば、１
０曲以内）であると判断された場合、選択された楽曲が順次再生されていく。従って、前
記選択条件に基づいて所望する楽曲が選択され、順次再生されていくので、煩わしい操作
をすること無く、所望する楽曲を聴くことができる。
また、上記音楽再生装置（１８）によれば、選択された楽曲の量が前記所定範囲内まで
絞り込まれた場合に限り、楽曲が再生されていくようになっているので、絞り込みが不十
分で、例えば、５０曲以上の楽曲が選択されて、ユーザーの所望する楽曲がドライブ中に
再生されないといった事態が生じるのを防止することができる。
また、本発明に係る音楽再生装置（１９）は、上記音楽再生装置（１８）において、選
択された楽曲の量が前記所定範囲内であると前記楽曲量判断手段により判断された場合、
前記楽曲再生手段が前記選択された楽曲を所定の再生条件に基づいて順次再生していくこ
とを特徴としている。
上記音楽再生装置（１９）によれば、選択された楽曲が前記所定の再生条件（例えば、
曲の新しさ）に基づいて順次再生されていくので、所望する楽曲を曲の新しいものから順
番に聴いたりすることができる。
また、本発明に係る音楽再生装置（２０）は、上記音楽再生装置（１９）において、前
記所定の再生条件に、ユーザーの嗜好度、楽曲の新しさ、及び楽曲の人気度のいずれかが
含まれていることを特徴としている。
上記音楽再生装置（２０）によれば、前記所定の再生条件に、ユーザーの嗜好度（例え
ば、楽曲を聴いた回数や、楽曲を繰り返し聴いている度合から得られる数量的なもの）、
楽曲の新しさ（リリースされた年月日から算出可能）、及び楽曲の人気度（ある機関で発
表されるランキングチャートの情報から得られる）のいずれかが含まれているので、ユー
ザーが最近頻繁に聴いている楽曲を優先的に再生したり、新しい楽曲を優先的に再生した
り、現在人気の高い楽曲を優先的に再生することができる。これは、選択された楽曲が全
て再生されなかった場合に特に有用となる。
また、本発明に係る音楽再生装置（２１）は、上記音楽再生装置（１９）において、前
記選択条件設定手段が、入力手段を介して入力されたユーザーの意思情報に基づいて前記
選択条件を設定するものであり、前記入力手段を介してユーザーの意思情報が所定期間入
力されない場合、前記所定の再生条件が最近よく聴かれた曲の順であるとみなして前記楽
曲再生手段が楽曲を再生していくことを特徴としている。
上記音楽再生装置（２１）によれば、ユーザーに特に希望がなければ、最近よく聴いて
いる曲を再生することができる。
また、本発明に係る音楽再生装置（２２）は、上記音楽再生装置（１８）〜（２１）の
いずれかにおいて、前記所定範囲は所定の演奏時間であり、選択された楽曲の総演奏時間
が前記所定の演奏時間内である場合、選択された楽曲の量が前記所定範囲内であると前記
楽曲量判断手段が判断することを特徴としている。
上記音楽再生装置（２２）によれば、前記所定範囲は前記所定の演奏時間（例えば、５
０分間）であるので、楽曲の絞り込みを適切に行うことができ、例えば、選択された楽曲
の総演奏時間が３時間以上となって、ユーザーの所望する楽曲がドライブ中に再生されな
いといった事態が生じるのを防止することができる。